【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
画像生成装置において複数の形式のフォントを管理するための方法であって、
フォントを前記画像生成装置の選択された記憶領域に記憶するように依頼する管理要求を関連するユーザから受信する工程と、
前記記憶されるべきフォントの種類を判定する工程と、
新しいフォントファイルを選択的に生成する工程であって、
前記記憶されるべきフォントが、ＰｏｓｔＳｃｒｉｐｔフォントである場合には、選択されたＰｏｓｔＳｃｒｉｐｔ言語コードを前記ＰｏｓｔＳｃｒｉｐｔフォントデータに事前に付加して新しいフォントファイルを生成し、
前記記憶されるべきフォントが、ＰＣＬフォントである場合には、選択されたＰＪＬソフトウェアコマンドを前記ＰＣＬフォントデータに事前に付加して新しいフォントファイルを生成し、
前記記憶されるべきフォントが、ＰｏｓｔＳｃｒｉｐｔフォントまたはＰＣＬフォント以外である場合には、前記フォントをＰＣＬフォントに変換し、かつ、選択されたＰＪＬソフトウェアコマンドを前記変換されたＰＣＬフォントデータに事前に付加して新しいフォントファイルを生成する、工程と、
を備える方法。
【請求項２】
前記新しく生成されたファイルを処理のために関連するラスターイメージプロセッサへ送信する工程をさらに備える、請求項１に記載の方法。
【請求項３】
前記処理されたファイルを前記選択された記憶領域に記憶する工程をさらに備える、請求項２に記載の方法。
【請求項４】
画像生成装置において複数の形式のフォントを管理するための方法であって、
選択されたフォントを前記画像生成装置の選択された記憶領域から削除するように依頼する管理要求を関連するユーザから受信する工程と、
選択されたコマンドおよび前記削除されるべきフォントを含む新しいファイルを生成する工程と、
前記選択されたフォントが前記記憶領域に記憶されているかどうかを判定する工程と、
前記選択されたフォントが前記記憶領域に記憶されていると判定された場合、前記選択されたフォントを前記記憶領域から削除する工程と、
を備える方法。
【請求項５】
前記新しく生成されたファイルを処理のために関連するラスターイメージプロセッサへ送信する工程をさらに備える、請求項４に記載の方法。
【請求項６】
画像生成装置において複数の形式のフォントを管理するための方法であって、
前記画像生成装置の選択された記憶領域に記憶された選択された種類のフォントを検索するように依頼する管理要求を関連するユーザから受信する工程と、
前記選択された種類のフォントが前記記憶領域に記憶されているかどうかを判定する工程と、
前記選択された種類のフォントに対応するフォントのリストを生成する工程と、
前記フォントリストを表示手段に表示することおよび前記フォントを一覧にしたテスト文書を生成することの少なくとも一方によって、前記フォントリストを前記関連するユーザへ送信する工程と、
を備える方法。
【請求項７】
画像生成装置において複数の形式のフォントを管理するための方法であって、
管理要求を関連するユーザから受信する工程と、
受信された前記管理要求の種類を判定する工程と、を備え、
受信された前記管理要求が、フォントを前記画像生成装置の選択された記憶領域に記憶するように依頼する要求であると判定された場合には、
前記記憶されるべきフォントの種類を判定し、
新しいフォントファイルを選択的に生成するに際し、
前記記憶されるべきフォントが、ＰｏｓｔＳｃｒｉｐｔフォントである場合には、選択されたＰｏｓｔＳｃｒｉｐｔ言語コードを前記ＰｏｓｔＳｃｒｉｐｔフォントデータに事前に付加して新しいフォントファイルを生成し、
前記記憶されるべきフォントが、ＰＣＬフォントである場合には、選択されたＰＣＬソフトウェアコマンドを前記ＰＪＬフォントデータに事前に付加して新しいフォントファイルを生成し、
前記記憶されるべきフォントが、ＰｏｓｔＳｃｒｉｐｔフォントまたはＰＣＬフォント以外である場合には、前記フォントをＰＣＬフォントに変換し、かつ、選択されたＰＪＬソフトウェアコマンドを前記変換されたＰＣＬフォントデータに事前に付加して新しいフォントファイルを生成し、
受信された前記管理要求が、選択されたフォントを前記画像生成装置の選択された記憶領域から削除するように依頼するものであると判定された場合には、
選択されたコマンドおよび前記削除されるべきフォントを含む新しいファイルを生成し、
前記選択されたフォントが前記記憶領域に記憶されているかどうかを判定し、
前記選択されたフォントが前記記憶領域に記憶されていると判定された場合には、前記選択されたフォントを前記記憶領域から削除し、
受信された前記管理要求が、前記画像生成装置の選択された記憶領域に記憶された選択された種類のフォントを検索するように依頼するものであると判定された場合には、
前記選択された種類のフォントが前記記憶領域に記憶されているかどうかを判定し、
前記選択された種類のフォントに対応するフォントのリストを生成し、
前記フォントリストを表示手段に表示することおよび前記フォントを一覧にしたテスト文書を生成することの少なくとも一方によって、前記フォントリストを前記関連するユーザへ送信する、方法。
【請求項８】
前記管理要求は、簡易ネットワーク管理プロトコルおよびウェブアドミニストレーションユーザインタフェースの少なくとも一方を介して、前記関連するユーザから受信される、請求項７に記載の方法。
【請求項９】
複数の形式のフォントを管理する画像生成装置であって、
フォントを前記画像生成装置の選択された記憶領域に記憶するように依頼する管理要求を関連するユーザから受信する手段と、
前記記憶されるべきフォントの種類を判定する手段と、
新しいフォントファイルを選択的に生成する手段であって、
前記記憶されるべきフォントが、ＰｏｓｔＳｃｒｉｐｔフォントである場合には、選択されたＰｏｓｔＳｃｒｉｐｔ言語コードを前記ＰｏｓｔＳｃｒｉｐｔフォントデータに事前に付加して新しいフォントファイルを生成する手段と、
前記記憶されるべきフォントが、ＰＣＬフォントである場合には、選択されたＰＪＬソフトウェアコマンドを前記ＰＣＬフォントデータに事前に付加して新しいフォントファイルを生成する手段と、
前記記憶されるべきフォントが、ＰｏｓｔＳｃｒｉｐｔフォントまたはＰＣＬフォント以外である場合には、前記フォントをＰＣＬフォントに変換する手段、および、選択されたＰＪＬソフトウェアコマンドを前記変換されたＰＣＬフォントデータに事前に付加して新しいフォントファイルを生成する手段と、
を備える画像生成装置。
【請求項１０】
前記新しく生成されたファイルを処理のために関連するラスターイメージプロセッサへ送信する手段をさらに備える、請求項９に記載の画像生成装置。
【請求項１１】
前記処理されたファイルを前記選択された記憶領域に記憶するように構成された手段をさらに備える、請求項１０に記載の画像生成装置。
【請求項１２】
複数の形式のフォントを管理するための画像生成装置であって、
選択されたフォントを前記画像生成装置の選択された記憶領域から削除するように依頼する管理要求を関連するユーザから受信する手段と、
選択されたコマンドおよび前記削除されるべきフォントを含む新しいファイルを生成する手段と、
前記選択されたフォントが前記記憶領域に記憶されているかどうかを判定する手段と、
前記選択されたフォントが前記記憶領域に記憶されていると判定された場合、前記選択されたフォントを前記記憶領域から削除する手段と、
を備える画像生成装置。
【請求項１３】
前記新しく生成されたファイルを処理のために関連するラスターイメージプロセッサへ送信するように構成された手段をさらに備える、請求項１２に記載の画像生成装置。
【請求項１４】
前記管理要求は、簡易ネットワーク管理プロトコルおよびウェブアドミニストレーションユーザインタフェースの少なくとも一方を介して、前記関連するユーザから受信される、請求項１２に記載の画像生成装置。
【請求項１５】
複数の形式のフォントを管理するための画像生成装置であって、
前記画像生成装置の選択された記憶領域に記憶された選択された種類のフォントを検索するように依頼する管理要求を関連するユーザから受信する手段と、
前記選択された種類のフォントが前記記憶領域に記憶されているかどうかを判定する手段と、
前記選択された種類のフォントに対応するフォントのリストを生成する手段と、
前記フォントリストを表示手段に表示することおよび前記フォントを一覧にしたテスト文書を生成することの少なくとも一方によって、前記フォントリストを前記関連するユーザへ送信する手段と、
を備える画像生成装置。
【請求項１６】
複数の形式のフォントを管理するための画像生成装置であって、
管理要求を関連するユーザから受信する手段と、
受信された前記管理要求の種類を判定する手段と、を備え
受信された前記管理要求が、フォントを前記画像生成装置の選択された記憶領域に記憶するように依頼する要求であると判定された場合には、
前記記憶されるべきフォントの種類を判定する手段と、
新しいフォントファイルを選択的に生成する手段とを備えていて、
前記記憶されるべきフォントが、ＰｏｓｔＳｃｒｉｐｔフォントである場合には、選択されたＰｏｓｔＳｃｒｉｐｔ言語コードを前記ＰｏｓｔＳｃｒｉｐｔフォントデータに事前に付加して新しいフォントファイルを生成する手段と、
前記記憶されるべきフォントが、ＰＣＬフォントである場合には、選択されたＰＪＬソフトウェアコマンドを前記ＰＣＬフォントデータに事前に付加して新しいフォントファイルを生成する手段と、
前記記憶されるべきフォントが、ＰｏｓｔＳｃｒｉｐｔフォントまたはＰＣＬフォント以外である場合には、前記フォントをＰＣＬフォントに変換する手段、および、選択されたＰＪＬソフトウェアコマンドを前記変換されたＰＣＬフォントデータに事前に付加して新しいフォントファイルを生成する手段とを備え、
受信された前記管理要求が、選択されたフォントを前記画像生成装置の選択された記憶領域から削除するように依頼するものであると判定された場合には、
選択されたコマンドおよび前記削除されるべきフォントを含む新しいファイルを生成する手段と、
前記選択されたフォントが前記記憶領域に記憶されているかどうかを判定する手段と、
前記選択されたフォントが前記記憶領域に記憶されていると判定された場合、前記選択されたフォントを前記記憶領域から削除する手段とを備え、
受信された前記管理要求が、前記画像生成装置の選択された記憶領域に記憶された選択された種類のフォントを検索するように依頼するものであると判定された場合には、
前記選択された種類のフォントが前記記憶領域に記憶されているかどうかを判定する手段と、
前記選択された種類のフォントに対応するフォントのリストを生成する手段と、
前記フォントリストを表示手段に表示することまたは前記フォントを一覧にしたテスト文書を生成することの少なくとも一方によって、前記フォントリストを前記関連するユーザへ送信する手段と、
を備える画像生成装置。